【事件の表示】
　特願２０１１−５２５３３３「毛髪化粧料組成物と発泡用具のセット及び毛髪化粧料組成物の使用方法」拒絶査定不服審判事件〔平成２３年１２月８日国際公開、ＷＯ２０１１／１５１８８０〕について、次のとおり審決する。
【結　論】
　本件審判の請求は、成り立たない。
【理　由】
第１　手続の経緯
　本願は、平成２２年５月３１日を国際出願日とする出願であって、以降の手続の経緯は以下のとおりのものである。
　
　平成２３年　８月　２日付け　　拒絶理由通知（１回目）
　平成２３年１０月１１日付け　　意見書・手続補正書
　平成２３年１１月１１日付け　　拒絶理由通知（２回目）
　平成２４年　１月１６日付け　　意見書・手続補正書
　平成２４年　２月２８日付け　　拒絶理由通知（３回目）
　平成２４年　５月　７日付け　　意見書・手続補正書
　平成２４年　６月　１日付け　　拒絶査定
　平成２４年　９月　５日付け　　審判請求書
　　　　　　　　　　同日付け　　手続補正書・手続補足書
　平成２４年１０月１８日付け　　前置報告
　平成２５年　３月１５日付け　　早期審理に関する事情説明書
　　　　　　　　　　同日付け　　上申書
　平成２５年　５月２４日付け　　拒絶理由通知（当審）
　　　　　　　　　　同日付け　　補正の却下の決定（当審）
　平成２５年　７月２６日受付け　意見書・手続補正書
　
第２　本願発明
　本願の請求項１〜４に係る発明は、平成２５年７月２６日受付けの手続補正書の特許請求の範囲の請求項１〜４に記載された事項により特定されるとおりのものと認められるところ、その請求項４に係る発明（以下、「本願発明」という。）は次のとおりのものである。
　
「【請求項４】
　アルカリ剤を含有する液状の剤と酸化剤を含有する液状の剤を含む複数の剤同士を混合して振とうにより発泡させることによって
毛髪に適用される
　前記毛髪化粧料組成物は、界面活性剤を含有し、
　前記複数の液状の剤は、混合して振とうにより混合物に空気が混入されるよう、少なくとも一つの剤の粘度は
２５℃で５０００ｍＰａ・ｓ以下
　前記複数の液状の剤を、前記泡状の剤型の毛髪化粧料組成物を直接取り出すための拡径した開口を有する容器に投入し、開放状態で振とうにより発泡させることによって泡状の剤型に毛髪化粧料組成物を形成する工程を含むことを特徴とする方法。」（下線は、原文のとおり。補正箇所を示す。）
　
第３　当審の拒絶理由
　当審において、補正前（平成２４年９月５日付けの手続補正は当審による補正の却下の決定により却下されたので、平成２４年５月７日付けの手続補正によるもの）の請求項５について、平成２５年５月２４日付けで通知した拒絶の理由は、「この出願の請求項５に係る発明は、その出願前に日本国内又は外国において頒布された下記の刊行物１〜５に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。」というものである。
　
第４　当審の判断
　上記「第３　当審の拒絶理由」に対し、平成２５年７月２６日受付けの手続補正により、本願発明は、補正前の請求項５に基づいて、上記「第２　本願発明」のとおり補正されている。
　この補正により、上記当審の拒絶理由が解消したか否かについて、以下に検討する。
　
１　引用例及びその記載事項
（１）当審の拒絶理由に「刊行物１」として引用した、本出願前の平成１４年８月１４日に頒布された刊行物である「特開２００２−２２６３４２号公報」（以下、「引用例１」という。）には、次の事項が記載されている。以下、下線は当審で付した。
　
（１ａ）「【請求項１】
アンモニア刺激臭を抑制するに充分に小さい平均乳化粒子径であることを特徴とするアンモニアを含有する毛髪脱色または染毛剤用乳化組成物
　・・・
【請求項３】
ノニオン界面活性剤を０．１〜５０重量％含有することを特徴とする請求項１または２記載のアンモニアを含有する毛髪脱色または染毛剤用乳化組成物
【請求項４】
アニオン界面活性剤、カチオン界面活性剤および両性界面活性剤から選ばれる一種または二種以上のイオン性界面活性剤を２重量％以下含有することを特徴とする請求項３記載のアンモニアを含有する毛髪脱色または染毛剤用乳化組成物
　・・・
【請求項６】
請求項１〜４のいずれかの項に記載のアンモニアを含有する毛髪脱色または染毛剤用乳化組成物と酸化剤を含有する組成物を使用することを特徴とする毛髪脱色または染毛方法
【請求項７】
アンモニアを含有する毛髪脱色または染毛剤用乳化組成物と酸化剤を含有する組成物が同じ粘度であることを特徴とする請求項６記載の毛髪脱色または染毛方法
【請求項８】
アンモニアを含有する毛髪脱色または染毛剤用乳化組成物と酸化剤を含有する組成物の粘度が１０，０００〜６０，０００ｃｐｓの乳化組成物であることを特徴とする請求項６または７記載の毛髪脱色または染毛方法
　
（１ｂ）「【０００３】
１剤式、２剤式および３剤式に含有されるアルカリ剤としては、アンモニア、エタノールアミン、炭酸塩などが挙げられる
　
（１ｃ）「【０００８】以下、本発明の実施の態様を示し、本発明を詳細に説明する。
【発明の実施の態様】
本発明の染毛剤および脱色剤の第１剤は、少なくとも（１）アンモニア、（２）界面活性剤
　
（１ｄ）「【００１０】第１剤組成物の乳化剤として用いる界面活性剤としては、特にノニオン界面活性剤が好ましい。・・・
【００１１】本発明の第１剤組成物においては、界面活性剤としては、アニオン界面活性剤、カチオン界面活性剤および両性界面活性剤から選ばれる一種または二種以上のイオン性界面活性剤をそれら単独、またはノニオン界面活性剤に加えて配合させることができる。・・・
　・・・
【００１４】本発明に用いられるノニオン界面活性剤としては、特に限定されることなく、従来から脱色剤または染毛剤に使用されている公知のものを広く使用できる。・・・
【００１５】本発明に用いられるイオン性界面活性剤も、特に限定されることはなく、従来から染毛剤又は脱色剤に使用されているアニオン界面活性剤、カチオン界面活性剤、両性界面活性剤を適宜使用することができる。
アニオン界面活性剤の例としては
アルキル硫酸塩、ポリオキシエチレンアルキルエーテル硫酸塩
　
（１ｅ）「【００２２】
本発明の第１剤の剤型は、特に制限されず、例えばクリーム、乳液、エアゾールフォーム、ミスト、スプレー等、乳化組成物であれば、各種剤型のものを使用することができる
本発明の第１剤は、使用に際して、過酸化水素等の酸化剤を含有する第２剤（以下、第２剤と言う）と混合して毛髪に施術され、前記第１剤と第２剤との混合は、通常、施術直前に行われる
　・・・
【００２４】
第２剤の剤型は特に制限されず、例えば液状、乳液、クリーム、ゲル、エアゾールフォーム、ミスト、スプレー等とすることができるが、第２剤を第１剤の剤型と同じ剤型とすることが好ましい
【００２５】
第１剤と第２剤は同等の物性、特に粘度を同程度とすることが好ましい
第１剤と第２剤を同じ剤型で粘度を同程度とし、かつ頭髪上で液だれを起こさないような粘度を有するものが特に好ましい
前記のような特性を有する第１剤と第２剤を使用した場合、両剤の混合が容易となるばかりでなく、両剤を任意の組み合わせおよび／または任意の割合で混合しても粘度が常に一定で、乳化組成物が垂れ落ちたり、または、硬すぎて施術が難しい等の問題が一切解消される
頭髪上で液だれを起こさないような粘度を有する実質的に同一粘度の第１剤と第２剤としては、好ましくは約１０，０００〜６０，０００ｃｐｓ、さらに好ましくは２０，０００〜４５，０００ｃｐｓのクリーム状のものが好ましい
　
（１ｆ）「【００３２】実施例１〜３
下表１の配合量でパラフェニレンジアミン、レゾルシン、亜硫酸ナトリウム、２８％アンモニア水、精製水以外の成分を７５℃で加熱溶解する。そこに、パラフェニレンジアミン、レゾルシン、亜硫酸塩、精製水を７５℃で加熱溶解したものを撹拌下にて徐々に加え、撹拌しながら冷却し、
次いで３０℃で２８％アンモニア水を配合し、クリーム状乳化組成物（第１剤）を調整した
【００３３】
【表１】
前表１の数値は、重量％を表す。
【００３４】参考例１（第２剤の調製法）
３５％過酸化水素水１７重量％を精製水で１００重量％として第２剤水溶液を調製した
【００３５】参考例２〜３（第２剤の調製法）
下表２に示す配合量で３５％過酸化水素水と精製水以外の成分を７５℃で加温溶解し、７５℃に加熱した精製水を攪拌しながら徐々に加え、そのまま攪拌を続け３０℃まで冷却した時点で、
さらに３５％過酸化水素水を加えて、クリーム状乳化組成物を得た
【００３６】
【表２】
前表２の数値は重量％を表す。
　・・・
【００３８】実施例４（
染毛方法
実施例１で得られた乳化組成物６０重量ｇをカップに取り、これに参考例２で得られた乳化組成物６０重量ｇを加え刷毛で混合し、常法に従い黒髪に施術して茶色に染色した
　
（２）当審の拒絶理由に「刊行物２」として引用した、本出願前の平成２１年３月１２日に頒布された刊行物である「特開２００９−５１８５６号公報」（以下、「引用例２」という。）には、次の事項が記載されている。
　
（２ａ）「【請求項２】
　
アルカリ剤を含有する第１剤と過酸化水素を含有する第２剤からなり、第１剤と第２剤とを使用直前に混合して用いる２剤式毛髪化粧料と、第１剤と第２剤の混合液を泡状に吐出するフォーマー容器とからなる毛髪化粧品
　
混合液中に界面活性剤を０．１〜１０重量％含有し、混合液の２５℃における粘度が１〜３００ｍＰａ・ｓである毛髪化粧品
　・・・
【請求項８】
　請求項１〜７のいずれかに記載の
毛髪化粧品の第１剤と第２剤の混合液をフォーマー容器から泡状に吐出し、毛髪に塗布した後、３〜６０分間放置し、洗い流す毛髪処理方法
　
（２ｂ）「【０００１】
　
本発明は、２剤式毛髪脱色剤又は２剤式染毛剤の混合液を泡状に吐出する毛髪化粧品、及び該毛髪化粧品を使用する毛髪処理方法に関する
【背景技術】
【０００２】
　
従来、毛髪脱色剤、染毛剤といった毛髪化粧料としては、液状又はクリーム状のものが普及しているが、これらを毛髪にムラなく塗布するのは難しい
特に、毛髪内側の根元部分や後頭部の塗布にはブロッキングや合わせ鏡等のスキルが必要とされ、多くの時間も要する
【０００３】
　
これに対し、剤を泡状に吐出することで、染毛操作を簡便化することが提案されている
　・・・
【０００５】
　しかしながら、
２つのエアゾール缶を連結したタイプの吐出容器を用いるものは、第１剤と第２剤をそれぞれ独立したエアゾール缶から吐出させるので、剤の混合ムラが発生し易く、脱色ムラや染めムラが生じる場合がある
エアゾールタイプの吐出容器では、金属製の耐圧容器やマウンテンカップが使用されるため、それらが毛髪脱色剤又は染毛剤に含まれる過酸化水素により酸化されて腐食したり、過酸化水素の分解により耐圧容器の内圧が過度に上昇するという危険性がある
　
（２ｃ）「【００１３】
　さらに、本発明によれば、
フォーマー容器としてノンエアゾールタイプのものを用いるので、容器の腐食や内圧の上昇という問題も解消される
　
（２ｄ）「【００１５】
　ここで、
第１剤が含有するアルカリ剤としては、例えば、アンモニア
　・・・
【００１７】
　一方、
第２剤は過酸化水素を含有する
【００１８】
　第１剤と第２剤の混合液は、必須成分として水をバランス量で含有する。
【００１９】
　
界面活性剤は、フォーマー容器の泡吐出手段において、空気と毛髪化粧料を混合して容易に泡が形成されるようにし、且つその泡を安定化させるために、第１剤又は第２剤に含有される
界面活性剤としては、公知の界面活性剤を使用することができる
例えば、アルキル硫酸塩、ポリオキシエチレンアルキルエーテル硫酸塩等のアニオン界面活性剤
　
（２ｅ）「【００４７】
　また、第１剤と第２剤は、その混合剤の粘度（２５℃、Ｂ型回転粘度計で、ローターＮｏ．１を用い、３０ｒｐｍで１分間回転させた後の値とする。但し、粘度が１６０ｍＰａ・ｍを超える場合は、１２ｒｐｍで１分間回転させた後の値とする。）が、２５℃において５０ｍＰａ・ｓ以下、好ましくは１０ｍＰａ・ｓ以下になるように調製すると、塗布しやすい泡体積（即ち、気液混合比）を温度依存性なく実現しやすい点で好ましい。また、
その混合液の粘度が、２５℃において１〜３００ｍＰａ・ｓ、好ましくは１０〜２００ｍＰａ・ｓ、より好ましくは３０〜１２０ｍＰａ・ｓになるように調製すると、塗布しやすい泡体積を温度依存性なく実現しやすい点および混合液が毛髪に塗布されてから毛髪上で放置されている間の垂れ落ちを抑制できる点で効果的である
　・・・
【００４９】
　また、混合液の粘度を上記の範囲に調整することでスクイズフォーマーなどで泡を吐出する際にスクイズしやすくなり好ましい。
第１剤と第２剤の混合液の粘度を上述の範囲に調整するためには、エタノール等の水溶性溶剤を添加したり、あるいは界面活性剤、ポリオール類、並びに、高級アルコールの含有量や種類を適宜調整すればよい
【００５０】
　なお、
第１剤及び第２剤は液状であることが好ましいが、第１剤と第２剤との混合液の粘度が、２５℃において１〜３００ｍＰａ・ｓの溶液となるのであれば、第１剤又は第２剤は粉末、顆粒、ペースト等の形状であってもよい
　
（２ｆ）「【００５６】
　また、
本発明の毛髪化粧品の使用方法としては、フォーマー容器内で第１剤と第２剤を混合し、その容器から吐出される泡状の剤を、直接毛髪に塗布してもよく、手またはブラシなどの道具を使って毛髪に塗布してもよい
　
（３）当審の拒絶理由に「刊行物３」として引用した、本出願前の平成４年３月１２日に頒布された刊行物である「特表平４−５０１４２２号公報」（以下、「引用例３」という。）には、次の事項が記載されている。
　
（３ａ）「請求の範囲
１．
二つの成分を使用前に混合することによって製造される泡状ヘア処理剤
第一成分が粉末状あるいは顆粒状の固体であり
第二成分が水を含むヘア処理剤
界面活性剤を０．１ないし５０重量パーセント含有している
　・・・
８．（ａ）生理学上問題のない水溶性の酸あるいは生理学上問題のない水溶性の酸塩一個と、（ｂ）生理学上問題のない炭酸塩あるいは炭酸水素塩一個からなる粉末状物質あるいは顆粒状物質（第一成分）と、界面活性剤を０．１ないし５０重量パーセント含有する、エマルジョン、ゲル、クリームあるいは溶液形態の、含水ヘア処理剤（第二成分）を、使用前に、混合することを特徴とする、泡状ヘア処理剤の処理方法。
　・・・
１０．
第一成分を第二成分に添加し、次いでブラシあるいはスパチュラを用いて１５ないし６０秒間かき混ぜる
　
（３ｂ）「
本発明は、二つの成分からなる泡状ヘア処理剤およびこのような処理剤の製造方法に関する
　
泡状のヘア処理剤は、従来一般に用いられてきた液状あるいは粘性のある処理剤に比べて、非常に使いやすいので、最近ますます需要が伸びてきている
このような泡状処理剤は、従来一般に用いられてきた処理剤に比べて、量が調節しやすいうえに、かさ高いので頭髪に均一に処理することができる
　・・・
　しかし、
このような圧縮容器に充填された薬剤（いわゆるエアゾール泡状調合剤）を使用することは、生物環境学上および安全技術上問題がある
　・・・
　しかして本発明は、圧縮ガスあるいは放射用ガスを使用しないで、安定で、しかもボリュームのある、微細な泡を含有した泡状ヘア処理剤を得ることを課題とする。
　そしてここに、水を含むヘヤ処理剤に、生理学上問題のない水溶性の酸あるいは生理学上問題のない水溶性の酸塩と、生理学上問題のない炭酸塩あるいは炭酸水素塩とからなる粉末混合物を、
使用直前に加えることによって、安定で、しかもボリュームのある、微細な泡を含有した泡状ヘア処理剤が得られることを見い出した
　・・・
　本発明によるヘア処理剤において、良好な保存性を得るために、第一成分は無水であることが望ましく、特に微粒状粉末が提案される。第一成分は実質的に生理学上問題のない水溶性の酸あるいは生理学上問題のない水溶性の酸塩と生理学上問題のない炭酸塩あるいは炭酸水素塩からなる混合物である。」（２頁左上欄３行〜同頁右上欄２３行）
　
（３ｃ）「第二成分の場合、界面活性剤を含めてヘア処理剤の量は０．１ないし５０重量パーセントであることが重要である。このヘア処理剤は頭髪に一定時間作用させた後、洗い流される。このヘア処理剤は溶液、水中油型エマルジョン、クリーム、あるいはゲルの形態で提供される。
たとえばこのようなヘア処理剤として頭髪保護剤、頭髪洗浄剤、染毛剤、あるいは頭髪調色剤が挙げられる
　・・・
　
第二成分のヘア処理剤が染毛剤あるいは頭髪調色剤である場合、処理剤は水中油型エマルジョン、クリーム、あるいはゲルの形態で提供することが望ましく、この場合も上記のヘア処理剤と同じ界面活性剤および添加剤が用いられる
　
（３ｄ）「しかして本発明によって得られる泡状ヘア処理剤はボリュームのある、微細な、しかも非常に安定した泡を保有し、この泡の特性はエアゾール泡状調合剤のそれに匹敵する。しかし
本発明による泡状ヘア処理剤は、エアゾール調合剤に比べて、環境破壊の危険性がなく、また可燃性ガスによる危険性もなく、さらに妥当な費用で製造することができるという利点を持っている
　
（３ｅ）「本発明による処理剤を製造するに当たっては、十分な量の第一成分と第二成分を、
望ましくはシャーレあるいはビーカー中において、ブラシあるいスパチュラを用いて約１５ないし６０秒間、望ましくは２０ないし３０秒間かき混ぜる
　
（３ｆ）「実施例　９：頭髪調色剤
＜第一成分＞
無水リンゴ酸　　　　　　　　　　　　　　　　　　４４．４ｇ
無水炭酸水素ナトリウム　　　　　　　　　　　　　５５．６ｇ
　　　　　　　　　　　　　　　　　　　　　　　１００．０ｇ
＜第二成分＞（エマルジョン）
セチルステアリルアルコール　　　　　　　　　　　１２．００ｇ
ラウリルアルコール−ジグリコール−
　エーテル−硫酸エステル−ナトリウム塩　　　　　　１．６８ｇ
１、４−ジアミノ−２−ニトロベンゼン　　　　　　　０．８５ｇ
１−ヒドロキシ−２−アミノ−４−ニトロベンゼン　　０．５０ｇ
香料油　　　　　　　　　　　　　　　　　　　　　　０．５０ｇ
パラヒドロキシ安息香酸エチルエステル　　　　　　　０．１０ｇ
蒸留水　　　　　　　　　　　　　　　　　　　　　８４．３７ｇ
　　　　　　　　　　　　　　　　　　　　　　　１００．００ｇ
　
上記の第一成分５ｇと第二成分３０ｇをシャーレ中においてブラシを用いて２０秒間かき混ぜる
次いでこれによって得られる泡をブラシを用いて頭髪に塗布する
　
実施例　１０：
酸化染毛剤
＜第一成分＞
無水クエン酸　　　　　　　　　　　　　　　　　　４３．３ｇ
無水炭酸水素ナトリウム　　　　　　　　　　　　　５６．７ｇ
　　　　　　　　　　　　　　　　　　　　　　　１００．０ｇ
＜第二成分　ａ＞
セチルアルコール　　　　　　　　　　　　　　　　１５．００ｇ
ラウリルアルコール−ジグリコール−
　
エーテル−硫酸エステル−ナトリウム塩
亜硫酸ナトリウム　　　　　　　　　　　　　　　　　０．３０ｇ
１、４−ジアミノベンゼン　　　　　　　　　　　　　０．３０ｇ
レゾルシン　　　　　　　　　　　　　　　　　　　　０．２５ｇ
３、５−ジアミノ−２、６−
　ジメトキシピリジン−ジヒドロクロライド　　　　　０．０８ｇ
蒸留水　　　　　　　　　　　　　　　　　　　　　８３．０９ｇ
　　　　　　　　　　　　　　　　　　　　　　　１００．００ｇ
＜第二成分　ｂ＞
過酸化水素の１２％水溶液
　上記の第二成分ａ５０ｇと第二成分ｂ２５ｍｌを混合する。続いてこの混合物（第二成分）を第一成分７ｇと一緒に２５秒間かき混ぜる。
これによって得られた微細な泡を頭髪に塗布し、３０分間作用させた後、ぬるま湯を用いて洗い流す
　上記のおけるパーセント数は、特に指示がない場合は、すべて重量パーセント数をあらわしている。」（５頁右上欄１１行〜同頁左下欄最下行）
　
（４）当審の拒絶理由に「刊行物４」として引用した、本出願前の平成２１年７月１６日に頒布された刊行物である「特開２００９−１５４８８４号公報」（以下、「引用例４」という。）には、次の事項が記載されている。
　
（４ａ）「【請求項１】
　可撓性を備える胴部を有する容器本体と、該容器本体の口首部に設けられた泡吐出部とからなり、起泡剤を含む内溶液を収容して用いるスクイズ式泡吐出容器であって、
　前記容器本体は、前記泡吐出部に設けられた、泡微細化手段を有する微細化吐出流路を介してのみ外気と連通しており、
　
前記容器本体を振って内部の空気と前記内溶液とを混合して発泡させ、前記胴部を押圧することにより、前記内溶液を泡状にして吐出するスクイズ式泡吐出容器
　
（４ｂ）「【０００４】
　しかしながら、上記従来の泡吐出容器では、気液混合室に内溶液や空気を導入する液体導入通路及び空気導入通路を別途に設ける必要があると共に、気液混合室においてこれらを合流させるものであるため、その構造が複雑になる。また、狭い気液混合室において内溶液と空気とを混合して発泡させるものであるため、例えば内溶液が泡立った状態で気液混合室に導入されること等により、泡質にバラツキを生じやすくなる。
【０００５】
　本発明は、気液混合室を不要とした簡易な構造を備えており、
広いスペースにおいて内溶液と空気とを混合して発泡させることにより、泡質のバラツキが抑制された安定した状態で内溶液を泡状の液体として吐出させることのできる泡吐出器を提供する
　
（４ｃ）「【００２１】
　・・・また、起泡剤を含む内溶液として、種々のものを容器本体に収容して発泡させることができ、界面活性剤等を含む化粧料や液体洗剤の他、染毛剤等であっても良い。
アルカリ剤を含有する第１剤と過酸化水素水を含有する第２剤との混合液であって、第１剤又は第２剤が起泡剤を含むものであっても良い
　
（５）当審の拒絶理由に「刊行物５」として引用した、本出願前の平成１６年１１月１１日に頒布された刊行物である「特開２００４−３１５４８５号公報」（以下、「引用例５」という。）には、次の事項が記載されている。
　
（５ａ）「【請求項１】
気泡剤としてカゼイン又はカゼイン酸塩類を０．１〜２０ｗｔ％と、他に必要があれば泡質改良剤として界面活性剤・増粘剤・糊剤・油剤・溶剤・粉剤・潤滑剤・湿潤剤・酸アルカリ・ｐＨ調整剤・イオン封鎖剤・防腐剤・着色剤・香料の一種または二種以上と、
目的に対応する有効成分の一種又は二種以上と
フォームを造る為の原液組成物
　
（５ｂ）「【０００１】
【産業上の利用分野】
本発明は、主として化粧品
に利用されるフォーム（泡）を造るための原液組成物に関するものである
【０００２】
【従来の技術】
フォームは、その物理的特性において次のような事が上げられる。▲１▼少量の薬液量を有効に使用できる。▲２▼塗布に際し垂れ下がらない。▲３▼薬液の変わった風合いが生かされる。▲４▼塗布面を長時間カバーするなどの利点がある。
フォームの作り方のひとつに、フォームを造る液体組成物（以下フォーム原液又は単に原液という）を激しく撹拌して空気を混入させる方法があり、このための手動を電動にした理髪業向け等機種があり、また最近容器付き手動ポンプ式のフォーマーも発売されている
　
（５ｃ）「【００３０】
目的に対応する有効成分とは
染毛剤における酸化染料等が一つの例である
　
２　引用例記載の発明
（１）引用例１には、アンモニア刺激臭を抑制するに充分に小さい平均乳化粒子径である、アンモニアを含有する毛髪脱色又は染毛剤用乳化組成物と、酸化剤を含有する組成物を使用する、毛髪脱色又は染毛方法であって、アンモニアを含有する毛髪脱色又は染毛剤用乳化組成物は界面活性剤を含有し、アンモニアを含有する毛髪脱色又は染毛剤用乳化組成物と酸化剤を含有する組成物の粘度が１０，０００〜６０，０００ｃｐｓの乳化組成物である、毛髪脱色又は染毛方法が記載されている（上記（１ａ）参照）。
　
（２）ここで、前記「アンモニアを含有する毛髪脱色又は染毛剤用乳化組成物」は、引用例１にもあるとおり、２剤式の毛髪脱色又は染毛剤における第１剤であり、前記「酸化剤を含有する組成物」は、２剤式の毛髪脱色又は染毛剤における第２剤であることは技術常識である（上記（１ｃ）、及び（１ｅ）【００２２】参照）。
　そして、引用例１には、第１剤は使用に際して第２剤と混合して毛髪に施術され、この混合は、通常施術直前に行われることも記載されている（上記（１ｅ）【００２２】参照）。
　
（３）また、引用例１には、前記「アンモニアを含有する毛髪脱色又は染毛剤用乳化組成物」と「酸化剤を含有する組成物」とが同じ粘度である場合も記載されており（上記（１ａ）【請求項７】参照）、第１剤と第２剤それぞれの粘度が好ましくは１０，０００〜６０，０００ｃｐｓであることも記載されている（上記（１ｅ）【００２５】参照）。
　
（４）これらのことから、引用例１には、次の発明（以下「引用例１発明」という。）が記載されていると認められる。
　
「アンモニア刺激臭を抑制するに充分に小さい平均乳化粒子径であるアンモニアを含有する毛髪脱色又は染毛剤用乳化組成物と、酸化剤を含有する組成物とを、混合して使用する毛髪脱色又は染毛方法であって、アンモニアを含有する毛髪脱色又は染毛剤用乳化組成物は界面活性剤を含有し、アンモニアを含有する毛髪脱色又は染毛剤用乳化組成物と酸化剤を含有する組成物それぞれの粘度が１０，０００〜６０，０００ｃｐｓの乳化組成物である、毛髪脱色又は染毛方法。」
　
３　対比
　そこで、以下に本願発明と引用例１発明とを対比する。
　
（１）引用例１発明の「アンモニア刺激臭を抑制するに充分に小さい平均乳化粒子径であるアンモニアを含有する毛髪脱色又は染毛剤用乳化組成物」及び「酸化剤を含有する組成物」は、上記「２　引用例記載の発明」で述べたとおり、それぞれ、２剤式の毛髪脱色又は染毛剤における第１剤及び第２剤である。
　そして、前記「アンモニア」は、第１剤に含有されるアルカリ剤であることも技術常識である（上記（１ｂ）【０００３】参照）。
　また、引用例１には、第１剤の剤型について、クリーム、乳液、エアゾールフォーム、ミスト、スプレー等が例示され（上記（１ｅ）【００２２】参照）、実施例では、クリーム状乳化組成物としたことが記載されている（上記（１ｆ）【００３２】参照）。第２剤の剤型も、液状、乳液、クリーム、ゲル、エアゾールフォーム、ミスト、スプレー等が例示され（上記（１ｅ）【００２４】参照）、実施例では、水溶液又はクリーム状乳化組成物としたことが記載されている（上記（１ｆ）【００３４】〜【００３５】参照）。
　一方、本願明細書には、「第１剤の剤型は２５℃で液状である。本明細書でいう液状とは、流動性のあることをいい、例えば、乳化状、ジェル状、及びクリーム状を含む概念である。」（段落【００３８】）、「第２剤の剤型は２５℃で液状である。第１剤中にアンモニア又はアンモニウム塩が含有されている場合、第２剤の剤型は乳化状であることが好ましい。」（段落【００４４】）と説明されており、本願発明の「液状の剤」には、クリーム状や乳化状のものが含まれるといえる。
　
　よって、引用例１発明の「アンモニア刺激臭を抑制するに充分に小さい平均乳化粒子径であるアンモニアを含有する毛髪脱色又は染毛剤用乳化組成物」及び「酸化剤を含有する組成物」は、それぞれ、本願発明の「アルカリ剤を含有する液状の剤」、「酸化剤を含有する液状の剤」に相当する。
　
（２）上記（１）のとおり、引用例１には、第１剤、第２剤の剤型について、クリーム、乳液、エアゾールフォーム、ミスト、スプレー等が例示され、かつ、第１剤と第２剤を同じ剤型で粘度を同程度とすると好ましいことも示されていることから（上記（１ｅ）【００２５】参照）、第１剤と第２剤とを混合して得られる組成物もクリーム、乳液、エアゾールフォーム、ミスト、スプレー等の所定の剤型となることは明らかである。
　そして、引用例１発明では、第１剤と第２剤とを混合して得られる組成物を用いて毛髪脱色又は染毛を行うのであるから、混合して得られる組成物は、本願発明の「毛髪化粧料組成物」に相当する。
　
　よって、引用例１発明の「アンモニア刺激臭を抑制するに充分に小さい平均乳化粒子径であるアンモニアを含有する毛髪脱色又は染毛剤用乳化組成物と、酸化剤を含有する組成物とを、混合して使用する毛髪脱色又は染毛方法」は、本願発明の「アルカリ剤を含有する液状の剤と酸化剤を含有する液状の剤を含む複数の剤同士を混合して振とうにより発泡させることによって毛髪に適用される泡状の剤型（混合時、発泡剤として沸点が−５〜８０℃の油剤を含むものを除く）となる毛髪化粧料組成物の使用方法」と、「アルカリ剤を含有する液状の剤と酸化剤を含有する液状の剤を含む複数の剤同士を混合して所定の剤型となる毛髪化粧料組成物の使用方法」で共通する。
　そして、引用例１には、発泡させることは記載されていないから、本願発明と「（混合時、発泡剤として沸点が−５〜８０℃の油剤を含むものを除く）」点で一致する。
　
（３）引用例１発明は、「アンモニアを含有する毛髪脱色又は染毛剤用乳化組成物は界面活性剤を含有」するものである。
　これに対し、本願明細書には、「第１剤は、必要に応じて、前述した成分以外の成分、例えば水溶性高分子化合物、・・・、界面活性剤、・・・をさらに含有してもよい。」（段落【００１８】）、「界面活性剤としては、アニオン性、カチオン性、両性及びノニオン性のいずれの界面活性剤を使用することもできる。」（段落【００２８】）と説明されていることから、本願発明において、アルカリ剤を含有する第１剤に界面活性剤を含むことを包含するものである。
　よって、引用例１発明の「アンモニアを含有する毛髪脱色又は染毛剤用乳化組成物は界面活性剤を含有」することは、本願発明の「毛髪化粧料組成物は、界面活性剤を含有」することに相当する。
　
（４）引用例１発明の「アンモニアを含有する毛髪脱色又は染毛剤用乳化組成物と酸化剤を含有する組成物それぞれの粘度が１０，０００〜６０，０００ｃｐｓの乳化組成物である」ことは、本願発明の「少なくとも一つの剤の粘度は２５℃で５０００ｍＰａ・ｓ以下となるように調製され」ることと、「少なくとも一つの剤の粘度は所定の粘度となるように調製され」る点で共通する。
　
（５）以上のことから、両発明は、次の一致点及び相違点１〜３を有する。
　
一致点：
　「アルカリ剤を含有する液状の剤と酸化剤を含有する液状の剤を含む複数の剤同士を混合して所定の剤型（混合時、発泡剤として沸点が−５〜８０℃の油剤を含むものを除く）となる毛髪化粧料組成物の使用方法であって、
　前記毛髪化粧料組成物は、界面活性剤を含有し、
　前記複数の剤は、少なくとも一つの剤の粘度は所定の粘度となるように調製されることを含む方法。」
　
相違点１：
　「混合して所定の剤型」「となる毛髪化粧料組成物」が、本願発明では、「混合して振とうにより発泡させることによって毛髪に適用される泡状の剤型」「となる毛髪化粧料組成物」であるのに対し、引用例１発明では、泡状の剤型ではない点
　
相違点２：
　「少なくとも一つの剤の粘度は所定の粘度となるように調製され」ることについて、本願発明では、「混合して振とうにより混合物に空気が混入されるよう、少なくとも一つの剤の粘度は２５℃で５０００ｍＰａ・ｓ以下となるように調製され」るのに対し、引用例１発明では、「アンモニアを含有する毛髪脱色又は染毛剤用乳化組成物と酸化剤を含有する組成物それぞれの粘度が１０，０００〜６０，０００ｃｐｓの乳化組成物」である点
　
相違点３：
　本願発明は、さらに「前記複数の液状の剤を、前記泡状の剤型の毛髪化粧料組成物を直接取り出すための拡径した開口を有する容器に投入し、開放状態で振とうにより発泡させることによって泡状の剤型に毛髪化粧料組成物を形成する工程を含む」ものである点
　
４　判断
　上記相違点１〜３は関連するので、以下にまとめて検討する。
　
（１）泡状の剤型について
ア　引用例１には、第１剤と第２剤のそれぞれの粘度について、同程度で、かつ頭髪上で液だれを起こさない粘度が好ましいこと、そうすると両者の混合が容易となり、混合後も粘度が一定で垂れ落ちたり、硬すぎて施術が難しいなどの問題が生じないことが説明されており、特に、頭髪上で液だれを起こさないような粘度を有する実質的に同一粘度の第１剤と第２剤として１０，０００〜６０，０００ｃｐｓ程度のクリーム状のものが好ましいとされている（上記（１ｅ）【００２５】参照）。
　そして、実施例では、アンモニアを含有する第１剤はクリーム状乳化組成物としたこと（上記（１ｆ）【００３２】参照）、過酸化水素を含有する第２剤は、水溶液かクリーム状乳化組成物としたこと（上記（１ｆ）【００３４】〜【００３５】参照）、前記クリーム状乳化組成物である第１剤をカップに取り、これに同様にクリーム状乳化組成物である第２剤を加え刷毛で混合し染毛したことが記載されている（上記（１ｆ）【００３８】参照）。
　以上のことからすると、引用例１では、クリーム状の第１剤と第２剤とを使用時に混合し、得られたクリーム状の毛髪用化粧料組成物を使用しているといえる。
　
イ　これに対し、引用例２、３の従来技術に関する個所に記載されているように、引用例１発明のような２剤式の毛髪用化粧料組成物においては、液状やクリーム状のもの、粘性のあるものが普及しているが、これらは毛髪にムラなく塗布することが難しく、毛髪内側の根元部分や後頭部の塗布にはブロッキングや合わせ鏡等のスキルが必要とされ、多くの時間も要するという欠点があることから、剤を泡状とすることで、染毛操作を簡便化でき、使いやすく、量も調節しやすく、嵩高いので頭髪に均一に処理できることが既に知られている（上記（２ａ）〜（２ｂ）、（３ａ）〜（３ｂ）参照）。
　
ウ　よって、染毛操作を簡便化でき、使いやすく、量も調節しやすく、嵩高いので頭髪に均一に処理できるようにすることを考えて、引用例１発明において、使用時に混合してクリーム状の剤型となる組成物にかえて、使用時に混合して泡状の剤型となる組成物とすることは、周知の事項に基づき当業者が容易に想到し得たことである。
　
（２）粘度について
ア　上記「（１）泡状の剤型について」の「ア」で述べたとおり、引用例１発明では、クリーム状の剤型が、頭髪上で液だれを起こさないような好ましい剤型であるとし、その粘度として、１０，０００〜６０，０００ｃｐｓを特定している。
　ここで、粘度の単位「ｃｐｓ」は、「ｍＰａ・ｓ」と同じである（小泉袈裟勝監修、「単位の辞典　改訂４版」、平成元年１２月１５日第８刷発行、丸善株式会社、５１９頁参照）。
　
イ　これに対し、上記「（１）泡状の剤型について」の「イ」で述べたとおり、液状やクリーム状の剤型よりも優れた剤型として泡状の剤型が知られている。そして、泡状の剤型の毛髪化粧品を開示する引用例２には、泡状に吐出される第１剤と第２剤の混合液の粘度について、塗布しやすい泡体積で、塗布されてから毛髪上で放置されている間の垂れ落ちを抑制できるような混合液の粘度は、２５℃で１〜３００ｍＰａ・ｓ程度であることが記載されている（上記（２ａ）、（２ｅ）参照）。
　ここで、引用例２には、混合液の粘度が特定されているものの、第１剤と第２剤それぞれの粘度については特定されていない。しかしながら、引用例１にもあるとおり、第１剤と第２剤の粘度が同程度であると混合が容易であり、混合後の粘度も一定となり望ましいことは当業者に明らかであるから（上記（１ｅ）【００２５】参照）、第１剤と第２剤それぞれの粘度も２５℃で１〜３００ｍＰａ・ｓ程度であることが望ましいことは、当業者が直ちに理解することである。
　また、粘度の調整についても、引用例２にエタノール等の水溶性溶剤を添加するなどの方法が例示されているように、当業者が適宜なし得ることである（上記（２ｅ）【００４９】参照）。
　
ウ　そうすると、引用例１発明において、使用時に混合して泡状の剤型となる組成物とするに際し、泡状の剤型に適した粘度範囲を検討し、クリーム状の剤型に適するとされる１０，０００〜６０，０００ｃｐｓにかえて、第１剤と第２剤のそれぞれを引用例２に記載されているような１〜３００ｍＰａ・ｓ程度の粘度とすることは、当業者が容易になし得たことである。
　
（３）発泡操作について
ア　本願発明では、「複数の剤同士を混合して振とうにより発泡させることによって毛髪に適用される泡状の剤型」とすること、「複数の液状の剤は、混合して振とうにより混合物に空気が混入されるよう」な粘度とすること、そして、その具体的な方法として、「複数の液状の剤を、前記泡状の剤型の毛髪化粧料組成物を直接取り出すための拡径した開口を有する容器に投入し、開放状態で振とうにより発泡させる」ことが特定されている。
　
イ　混合して振とうにより発泡させることについて、本願明細書には、「つまり、毛髪化粧料組成物の振とうによる発泡とは、毛髪化粧料組成物に空気を振り混ぜること、毛髪化粧料組成物に振動を加えること、及び毛髪化粧料組成物に回転を加えることのいずれかにより毛髪化粧料組成物を泡状にすることを意味する。」（段落【００８２】）とある。
　そして、その具体的な手段として、「例えば、主として毛髪化粧料組成物に振動を加えて発泡させる場合には、発泡用具としては例えば加振機、及び手動式泡立て器が好適である。また、主として毛髪化粧料組成物に回転を加えて発泡させる場合には、発泡用具としては例えば撹拌棒、撹拌子、及び電動式泡立て器が好適である。このような発泡用具を用いた発泡は、例えば上端に開口を有する容器に毛髪化粧料組成物を投入して、その容器内で行われる。」（段落【００８３】）と記載されている。
　そうすると、本願発明における振とうにより発泡させることは、拡径した開口を有する容器内で、開放状態で、空気を振り混ぜたり、振動を加えたり、回転を加えたりしながら空気を混入することと理解できる。
　
ウ　そこで検討するに、上記「（１）泡状の剤型について」の「イ」で述べたとおり、引用例２、３には、クリーム状や粘性のあるものに比べて、泡状の剤型の毛髪処理化粧料が優れていることが記載されている。
　そして、引用例２には、引用例１発明と同様なアンモニア等のアルカリ剤を含む第１剤、過酸化水素等の第２剤、及びこれらに界面活性剤を含有する２剤式の毛髪化粧料を泡状の剤型とすることが記載されており（上記（２ａ）、（２ｄ）参照）、その具体的な方法について、従来のエアゾールタイプの吐出容器を用いて泡を形成するものでは、剤の混合ムラの発生や、吐出容器の腐食や内圧の上昇という危険性があることから、ノンエアゾールタイプのフォーマー容器を用いて、空気と毛髪化粧料を混合して泡を形成し、泡状に吐出させるものとしたことが記載されている（上記（２ｂ）、（２ｃ）、（２ｄ）【００１９】、（２ｆ）【００５６】参照）。
　また、引用例３にも、アルカリ剤に相当する無水炭酸水素ナトリウムを含む第一成分と、酸化剤に相当する過酸化水素を含む第二成分と、これらに界面活性剤を含む２剤式の泡状ヘア処理剤が記載されており（上記（３ａ）、（３ｆ）実施例１０参照）、従来のエアゾールには生物環境上や安全技術上の問題があることから、使用直前に２剤を混合することで、泡状ヘア処理剤を得たこと（上記（３ｂ）、（３ｄ）参照）、具体的な泡状ヘア処理剤の製造方法としては、シャーレやビーカー中でブラシやスパチュラを用いてかき混ぜる方法が示されている（上記（３ａ）、（３ｅ）、（３ｆ）参照）。
　これらのことから、クリーム状の剤型より泡状の剤型が優れており、さらに、泡状の剤型の形成方法として、エアゾールタイプの欠点を克服する目的で、ノンエアゾールタイプのフォーマー容器を用いることや、シャーレやビーカー中でブラシやスパチュラを用いてかき混ぜることが、本出願前から知られていたといえる。
　
エ　これに加えて、引用例４には、容器本体を振って内部の空気と内溶液とを混合して発泡させ、容器の胴部を押圧して内溶液を泡状に吐出するスクイズ式泡吐出容器が記載されており（上記（４ａ）参照）、広いスペースで内溶液と空気とを混合して発泡させることにより、泡質のバラツキが抑制された安定した状態で内溶液を泡状の液体として吐出させることができること（上記（４ｂ）参照）、２剤式の毛髪脱色又は染毛剤を泡状とするのに利用できることが示されている（上記（４ｃ）参照）。
　そして、引用例５には、染毛剤における酸化染料など、化粧品に使用されるフォーム（泡）を造るための原液組成物に関する記載があるところ（上記（５ａ）〜（５ｃ）参照）、２剤式の毛髪化粧料組成物のことを特定したものではないものの、理髪業において、従来フォームを造る液体組成物を手動により激しく撹拌して空気を混入させつつ泡立てる方法があったことにも言及されている（上記（５ｂ）参照）。
　
オ　また、泡状の剤を用いて脱色又は染毛する方法について、引用例２には、容器から吐出される泡状の剤を、直接毛髪に塗布したり、手やブラシなどの道具を使って塗布してもよいとされ（上記（２ｆ）【００５６】参照）、引用例３でも、得られた泡をブラシを用いるなどして頭髪に塗布すると記載されている（上記（３ｆ）参照）。
　
カ　そうしてみると、泡状の剤型を得る手段としては、泡吐出手段を有するフォーマー容器を用いて内容液を泡状に吐出する方法、容器を振って内部で発泡させて吐出する方法のほか、開放状態で容器内の内容物をかき混ぜることによる方法など、様々な方法が知られており、得られた泡状の剤を手で頭髪に塗布することも知られていたといえる。
　
キ　ここで、開放状態で容器内の内容物をかき混ぜて泡状の剤型とすることが記載されている引用例３では、第１剤は粉末状か顆粒状の固体であり（上記（３ａ）参照）、染毛剤の場合、第２剤は水中油型エマルジョン、クリーム、あるいはゲルであることが好ましいとされている（上記（３ｃ）参照）。一方で、泡吐出手段を有するフォーマー容器を用いて泡状の剤型とすることが記載されている引用例２には、第１剤及び第２剤がともに液状であることが好ましいが、混合液の濃度が特定範囲になるのであれば粉末、顆粒、ペーストであってもよいとも記載されている（上記（２ｅ）【００５０】参照）。
　このように、第１剤と第２剤とを混合して泡状の剤型とするのに、第１剤と第２剤それぞれの剤型と泡状の剤型とする手段との間に特段の制限があるものではなく、一方が粉末、顆粒などの固体であっても、他方と混合することにより溶解して液体となり、最終的に泡状の剤型となることや、第１剤や第２剤の剤型がエマルジョン（乳化組成物）であっても、公知の任意の手段によって泡状の剤型が得られることは、当業者に自明な事項であるといえる。
　
ク　また、引用例２には、界面活性剤は、空気と毛髪化粧料を混合して泡を形成させるものであること、公知の界面活性剤を使用でき、アルキル硫酸塩、ポリオキシエチレンアルキルエーテル硫酸塩等のアニオン界面活性が例示されている（上記（２ｄ）【００１９】参照）。そして、泡状の剤型を開示する引用例３の実施例１０で使用されている「ラウリルアルコール−ジグリコール−エーテル−硫酸エステル−ナトリウム塩」もポリオキシエチレンアルキルエーテル硫酸塩であり（上記（３ｆ）参照）、かつ、引用例１にも使用できる界面活性剤として、同様なものが例示されている（上記（１ｄ）【００１５】参照）。
　したがって、引用例１発明を泡状の剤型として使用するのに公知の界面活性剤を用いれば足り、発泡剤として沸点が−５〜８０℃の油剤を用いる必要がないことも、当業者が予測し得たことである。
　
ケ　そうしてみると、引用例１発明において、使用時に混合して泡状の剤型とする際に、公知の泡状の剤型とする手段のうちから、開放状態で容器内の内容物をかき混ぜる手段を採用するとともに、それに適した溶液の粘度を決定して調整し、できた泡をそこから直ちに取り出して毛髪に塗布できるように、適当に拡径した開口を有する容器とすることは、格別困難を要することなくなし得たことである。
　
（４）本願発明の効果について
　本願明細書には、本願発明の効果について、段落【００６０】〜【００６７】、【００７７】〜【００７８】に（１）〜（１１）として記載されているところ、本願発明に関連する効果について以下に検討する。
　
ア　液状の剤を用いることについて
　第１剤と第２剤が液状であることや、低粘度であることにより、混合性が向上することは自明な事項であり、引用例２にも液状が望ましいことも記載されている（上記（２ｅ）【００５０】参照）。
　粉末の剤型では配合できない成分が配合できること、そのことにより奏される効果も当業者が予測し得る事項である。
　
イ　スクイズ式吐出容器を用いないことによる効果について
　開放状態で容器内の内容物をかき混ぜて泡を形成してそれを直ちに取り出すことにより、当然に奏されることであって、格別顕著なことではない。
　また、引用例２〜５に示される様々な泡形成手段から、開放状態での振とうによる発泡を選択して採用したことによって、当業者が予測もし得ない効果を奏したものともいえない。
　
５　まとめ
　よって、本願発明は引用例１〜５に記載された発明及び周知の事項に基づき、当業者が容易に発明をすることができたものであるから、特許法２９条２項の規定により特許を受けることができないものである。
　
６　審判請求人の主張について
　審判請求人は、当審の拒絶理由に対し、平成２５年７月２６日受付の意見書を提出して本願発明の進歩性を主張しているので、その点についても検討する。
　
（１）引用例１〜５について
ア　引用例１において、泡状とは「エアゾールフォーム」のみを意味し、それ以外の実施形態を開示も示唆もせず、また、第１剤と第２剤の粘度はエアゾールフォームを前提とした開示であり、しかも１０，０００ｃｐｓ未満であり得る旨の記載も示唆もない旨主張する。
　しかしながら、前記「３　対比」及び「４　判断」のとおり、引用例１には毛髪用化粧料組成物を泡状とすることに関する記載自体がないことを前提として、本願発明の容易想到性について検討しているのだから、審判請求人の上記主張は結論に影響を及ぼさない。
　
イ　引用例２の「フォーマー容器」は実質的にノンエアゾールタイプのフォーマー容器であり、混合液粘度が１〜３００ｍＰａ・ｓとする理由も、ノンエアゾールタイプのフォーマー容器で泡状化するとの前提における記載であると考えられる旨主張する。
　引用例２には、上記粘度範囲とすることで、スクイズフォーマーなどで泡を吐出する際にスクイズしやすくなり好ましいとも記載されているが（上記（２ｅ）【００４９】参照）、塗布しやすい泡体積を実現できることや、毛髪に塗布されてから毛髪上で放置されている間の垂れ落ちを抑制できるような粘度であることも説明されており（上記（２ｅ）【００４７】参照）、容器との関係のみで決定されたものとはいえないから、審判請求人の主張は採用できない。
　
ウ　引用例３において、両成分の混合時、ブラシやスパチュラでかき混ぜることの技術的意味は、もっぱら水を含む第二成分に粉末状又は顆粒状である第一成分を完全に溶解させて、等量の割合で含有したことの技術目的を完結させる点にあり、本発明の「振とう」とは技術的意味が異なる旨主張する。
　審判請求人の主張するとおり、完全に溶解させることも目的といえるとしても、引用例３では、ブラシやスパチュラでかき混ぜることによって泡状の剤型を得ているから、この行為が本願発明の「振とう」も同時に行っていることは明らかである。
　また、引用例３には、一方の成分にアルカリ剤を、他方の成分に酸化剤を含有させる旨の記載もないとも主張するが、既に検討したとおり、引用例３には、炭酸水素ナトリウムを含有する成分と過酸化水素を含有する成分とを混合することが記載されており（上記（３ｆ）実施例１０参照）、炭酸水素ナトリウムがアルカリ剤に相当することは、本願明細書段落【００１５】にも記載されているとおり、当業者に自明な事項である。
　よって、この点に関する審判請求人の主張も採用できない。
　
エ　引用例４には、容器本体を振って内部の空気と内容液とを混合し発泡させた泡は、泡質が不十分である旨が明記されていると主張するが、審判請求人の指摘する引用例４の段落【０００４】は、気液混合室などを有する従来の泡吐出容器の欠点を記載するものであり、採用し得ない。
　引用例４では振とうにより発泡させたものは毛髪に適用される泡状ではないと認識して更に泡微細化手段を通過させている、との主張も同様に採用し得ない。
　
オ　引用例５は１剤式のものを前提としており、振とうにより発泡させるという技術状況は全く想定できない旨主張するが、引用例５の従来技術の記載箇所に、手動で攪拌して泡立てる技術が開示されていること示したものであるから、審判請求人の主張は採用できない。
　引用例５では、本願発明が界面活性剤に含めていないカゼインを気泡剤として用いるものであるとの主張も同様に採用し得ない。
　
（２）引用例１〜５の組み合わせについて
　審判請求人は、上記（１）でみた各引用例の記載を組み合わせの阻害要因として主張していると解されるが、上記のとおりいずれも採用できない。
　さらに、審判請求人は、噴射剤を利用して発泡させるエアゾールフォームや、メッシュ等の多孔質体を通過させて泡状とするノンエアゾールフォームと、振とうにより泡状とする本願発明の泡とでは、泡状化の原理が異なるので、泡状化に好適あるいは必要な粘度が互いに異なるであろうことは、当業者であれば容易に察知すると考えられると主張しているが、そうであればなおさら、引用例１発明において、クリーム状より望ましいことが知られている泡状の剤型とする際に、好適あるいは必要な粘度が異なることを察知し、それに適した粘度に調整することは、当業者が当然行うことといえる。
　
第５　むすび
　以上のとおり、本願発明は、引用例１〜５に記載された発明及び周知の事項に基づいて、当業者が容易に発明をすることができたものであるから、特許法第２９条２項の規定により特許を受けることができない。
　したがって、その他の請求項に係る発明についての判断を示すまでもなく、本願は拒絶すべきものである。
　よって、結論のとおり審決する。